(57)【要約】【課題】３者通話による着信選別を速やかに行うことができる移動体通信機器および着信選別方法を提供する。【解決手段】無線通信システムでの使用のために構成された移動体通信機器であって、プロセッサと、前記プロセッサと電気的に通信するメモリとを備え、前記メモリには、発信者からの着信電話を受信するステップＳ６０４と、前記着信電話に応答するステップＳ６１０と、前記着信電話を保留状態に保持するステップＳ６１２と、ボイスメール電話が自動的にボイスメール制御メニューに入らないようにボイスメールにダイアルするステップＳ６１４と、前記移動体通信機器のユーザが前記着信電話を選別できるように、前記着信電話とボイスメール電話とを繋いで３者通話とするステップＳ６１８とを含む着信選別方法を前記プロセッサに実行させるための実行可能な命令が格納されている。【選択図】図６
2006325220.tif 000002
【特許請求の範囲】
【請求項１】
無線通信システムでの使用のために構成された移動体通信機器であって、
プロセッサと、
前記プロセッサと電気的に通信するメモリとを備え、
前記メモリには、
発信者からの着信電話を受信するステップと、
前記着信電話に応答するステップと、
前記着信電話を保留状態に保持するステップと、
ボイスメール電話が自動的にボイスメール制御メニューに入らないようにボイスメールにダイアルするステップと、
前記移動体通信機器のユーザが前記着信電話を選別できるように、前記着信電話とボイスメール電話とを繋いで３者通話とするステップとを含む着信選別方法を前記プロセッサに実行させるための実行可能な命令が格納されている移動体通信機器。
【請求項２】
前記ボイスメール電話が自動的にボイスメール制御メニューに入らないように前記ボイスメールにダイアルするステップは、匿名でボイスメール番号をダイアルするステップを含んでいる請求項１に記載の移動体通信機器。
【請求項３】
前記ボイスメール電話が自動的にボイスメール制御メニューに入らないように前記ボイスメールにダイアルするステップは、前記ボイスメール制御メニューを回避するような特別なボイスメール番号をダイアルするステップを含んでいる請求項１に記載の移動体通信機器。
【請求項４】
前記特別なボイスメール番号は、前記移動体通信機器におけるボイスメール電話のコーラーラインＩＤを識別し、ボイスメール制御メニューに入らないように設定されている請求項３に記載の移動体通信機器。
【請求項５】
前記ボイスメール電話が自動的にボイスメール制御メニューに入らないように前記ボイスメールにダイアルするステップは、前記ボイスメールに対して、メッセージを移動体通信機器のメールボックス番号に残すよう指示するコードまたはパスワードを送信するステップを含んでいる請求項１に記載の移動体通信機器。
【請求項６】
前記着信選別方法が、さらに、
前記移動体通信機器のスピーカを起動するステップと、
前記移動体通信機器のマイクを消音するステップとを含んでいる請求項１に記載の移動体通信機器。
【請求項７】
前記着信選別方法が、さらに、
選別中の前記着信電話に対して応答したいというユーザ入力を受信するステップと、
２者通話のみが有効となるように前記ボイスメール電話を中断するステップとを含んでいる請求項１に記載の移動体通信機器。
【請求項８】
前記着信選別方法が、前記移動体通信機器上でマイクを有効にするステップをさらに含んでいる請求項７に記載の移動体通信機器。
【請求項９】
前記着信選別方法が、さらに、
選別中の前記着信電話を消音したいというユーザ入力を受信するステップと、
前記移動体通信機器上でスピーカを消音するステップとを含んでいる請求項１に記載の移動体通信機器。
【請求項１０】
前記着信選別方法が、さらに、
選別中の前記着信電話を消音したいというユーザ入力を受信するステップと、
２者通話のみが、有効で、かつ、ボイスメールへの着信電話となるように、前記ユーザの電話を中断するステップとをさらに含んでいる請求項１に記載の移動体通信機器。
【請求項１１】
前記着信選別方法が、さらに、
前記ユーザによる前記移動体通信機器を使用しようとするユーザ入力を受信するステップと、
着信電話の選別が依然実行中であることを示す警告を前記ユーザに提示するステップとを含む請求項９に記載の移動体通信機器。
【請求項１２】
前記着信選別方法が、さらに、
前記着信電話を選別せよと指示するユーザ入力を受信するステップをさらに含んでいる請求項１に記載の移動体通信機器。
【請求項１３】
発信者からの着信電話を受信する受信手段と、
前記着信電話に応答する応答手段と、
前記着信電話を保留状態に保持する保持手段と、
ボイスメール電話が自動的にボイスメール制御メニューに入らないようにボイスメールにダイアルするダイアル手段と、
ユーザが前記着信電話を選別できるように、前記着信電話と前記ボイスメール電話とを繋いで３者通話とする手段とを備えた移動体通信機器。
【請求項１４】
移動体通信機器において着信電話を選別する着信選別方法であって、
発信者からの着信電話を受信するステップと、
前記着信電話に応答するステップと、
前記着信電話を保留状態に保持するステップと、
ボイスメール電話が自動的にボイスメール制御メニューに入らないようにボイスメールにダイアルするステップと、
前記移動体通信機器のユーザが前記着信電話を選別できるように、前記着信電話と前記ボイスメール電話とを繋いで３者通話とするステップとを含む着信選別方法。
【請求項１５】
前記ボイスメール電話が自動的にボイスメール制御メニューに入らないように前記ボイスメールにダイアルするステップは、匿名でボイスメール番号へダイアルするステップを含んでいる請求項１４に記載の着信選別方法。
【請求項１６】
前記ボイスメール電話が自動的にボイスメール制御メニューに入らないように前記ボイスメールにダイアルするステップは、前記ボイスメール制御メニューを回避するような特別なボイスメール番号へダイアルするステップを含んでいる請求項１４に記載の着信選別方法。
【請求項１７】
前記特別なボイスメール番号は、前記移動体通信機器におけるボイスメール電話のコーラーラインＩＤを識別し、ボイスメール制御メニューに入らないように設定されている請求項１４に記載の着信選別方法。
【請求項１８】
前記移動体通信機器上でスピーカを起動するステップと、
前記移動体通信機器上でマイクを消音するステップとをさらに含んでいる請求項１４に記載の着信選別方法。
【請求項１９】
選別中の前記着信電話に対して応答したいというユーザ入力を受信するステップと、
２者通話のみが有効となるように前記ボイスメール電話を中断するステップとをさらに含む請求項１８に記載の着信選別方法。
【請求項２０】
前記移動体通信機器上でマイクを有効にするステップをさらに含んでいる請求項１９に記載の着信選別方法。
【請求項２１】
選別中の前記着信電話を消音したいというユーザ入力を受信するステップと、
前記移動体通信機器上でスピーカを消音するステップとをさらに含んでいる請求項１８に記載の着信選別方法。
【請求項２２】
前記ユーザによる前記移動体通信機器を使用しようとするユーザ入力を受信するステップと、
着信電話の選別が依然実行中であることを示す警告を前記ユーザに提示するステップとをさらに含んでいる請求項２１に記載の着信選別方法。
【請求項２３】
前記着信電話を選別せよと指示するユーザ入力を受信するステップをさらに含む請求項１４に記載の着信選別方法。
【請求項２４】
請求項１から１２の何れか１項に記載の移動体通信機器を動作させるためのプログラムであって、前記プロセッサに上記の各ステップを実行させるためのプログラム。
【請求項２５】
請求項２４に記載のプログラムが記録されたコンピュータ読み取り可能な記録媒体。
【発明の詳細な説明】
【技術分野】
【０００１】
本発明は、移動体通信機器に関する。より具体的には、本発明は、着信選別機能を備える移動体通信機器、並びに、移動体通信機器における着信選別のためのシステム、方法、プログラム、および記録媒体に関する。
【背景技術】
【０００２】
電話応答装置（留守番電話機）の登場によって、有益な着信選別を一般大衆が実行できるようになった。ユーザの着信選別を支援するためのいくつかの手段が開発されている。これらの手段とは、電話応答装置、コールウェイティング（キャッチホン（登録商標）など）、発信者番号通知（コーラーＩＤ）、ボイスメール、および、これらの各種組み合わせなどである。着信を選別するためには、ユーザは、電話応答装置が着信に応答するのを待ち、発信者がメッセージを録音するのを聞く。電話応答装置がメッセージを受け取った場合、ユーザは、その着信電話に出るかどうかを決めるのに役立つ重要な情報を得ることになる。ユーザは、発信者の声またはメッセージによって、発信者の身元を確認することができる。また、ユーザは、その着信の目的を確認することができる。発信者の身元やその目的を知った後に、ユーザは着信電話に出るかどうかを選択することができる。ユーザが着信電話に出ると決定した場合、ユーザは電話に出て発信者と話すことができる。ユーザが発信者と話したくない場合は、電話応答装置は単にメッセージ録音を終了することができ、発信者は電話を切るであろう。
【０００３】
ユーザが、発信者の声（メッセージ）を聞いている最中であることを発信者に知られずに、着信に応答するかどうかを選択できるという機能には、多くの利点がある。例えば、着信選別によって、ユーザは、着信前にしていたことを中断せずに続けることができる。また、ユーザは、雑談で時間を浪費してしまうのを回避できる一方、ユーザに重要であるかもしれない情報は電話から得ることができる。さらに、着信選別によって、ユーザは、単に発信者を完全に無視することもできる。
【０００４】
電話応答装置は、全メッセージをセンターの位置に格納しつつ、リアルタイムで着信を選別することができる機能を持つ。しかしながら、電話応答装置の問題は、ユーザが電話に出ている間は、ユーザへの発信者は、話中信号を受け取るだけで、メッセージを残すことができないということである。
【０００５】
コールウェイティングは、この話中信号の問題を解決しようとするものである。コールウェイティングは、特殊音によって、別の発信者が通話しようとしていることをユーザに知らせる。ユーザは、現在の着信電話と新しい着信電話とを、元の発信者を保留にしたままで、切り替えることができる。コールウェイティングの問題は、ユーザが新しい着信電話に実際に出てみないと、発信者の身元がわからないということである。ユーザは電話応答装置とコールウェイティングとの両方を導入することができるが、その場合でもやはり、コールウェイティングを使って新しい発信者からの着信電話に出るか、もしくは、その発信者が後で電話をかけなおしてくれてユーザが着信を選別できるようになることを期待するかしかない。
【特許文献１】米国特許第６，０２１，１７６号明細書（２０００年２月１日発行）
【特許文献２】米国特許第６，７５１，３００号明細書（２００４年６月１５日発行）
【特許文献３】米国特許第６，２９５，３４１号明細書（２００１年９月２５日発行）
【特許文献４】米国特許第５，９６５，３８９号明細書（１９９９年１０月１２日発行）
【特許文献５】米国特許第５，７１２，９０２号明細書（１９９８年１月２７日発行）
【特許文献６】米国特許第５，６５１，０５４号明細書（１９９７年７月２２日発行）
【特許文献７】米国特許第６，６３９，９７２号明細書（２００３年１０月２８日発行）
【特許文献８】米国特許第６，５２９，５８７号明細書（２００３年３月４日発行）
【特許文献９】米国特許第６，３３７，８９８号明細書（２００２年１月８日発行）
【特許文献１０】米国特許第６，３１０，９３９号明細書（２００１年１０月３１日発行）
【特許文献１１】米国特許第５，８３５，５７３号明細書（１９９８年１１月１０日発行）
【特許文献１２】米国特許出願公開第２００４／０１４１５９３号明細書（２００４年７月２２日公開）
【特許文献１３】特開昭６３−０７４３６５号公報（１９８８年４月４日公開）
【特許文献１４】特開昭６３−１３９４５４号公報（１９８８年６月１１日公開）
【特許文献１５】特開平１−２４８７５２号公報（１９８９年１０月４日公開）
【特許文献１６】国際公開第２００１／８６９１５号パンフレット（２００１年１１月１５日公開）
【特許文献１７】欧州特許第０，６８８，１２６号明細書（１９９５年１２月２０日公開）
【特許文献１８】英国特許第２，２９０，９２０号明細書（１９９６年１月１０日公開）
【発明の開示】
【発明が解決しようとする課題】
【０００６】
上記した話中信号の問題、および、コールウェイティング使用時に身元不明の着信電話に出なければならないという問題に対する解決策として、ボイスメールが登場した。ボイスメールによって、ユーザは、第二の着信がリモート・ボイスメールシステムに送られている間も、元の通話を続けることができる。ボイスメッセージもまた、特定の回数以上呼出し音が鳴った後で、または話中の場合、最終的には全ての着信をリモート・ボイスメールシステムに送り、これによって呼損を防ぐ。しかし、ボイスメールシステムはリモート位置にあるので、ユーザは発信者の身元や目的をリアルタイムでメッセージを聞くことによって選別することができない。
【０００７】
着信を選別する別の方法として、発信者番号通知がある。発信者番号通知を使うことができるユーザは、発信者の名前と電話番号とを表示する、電話機の近くに配置されたボックスを見て、発信者の身元を確認できる。これにより、ユーザは、発信者の身元に基づいて、着信を選別することができる。しかしながら、発信者番号通知では、発信者の目的に基づいて着信を選別することはできない。また、発信者番号通知の上記ボックスは一般に小さく、ユーザはディスプレイを確認するために電話機のそばまで行かなくてはならない。さらに、ユーザの位置に発信者番号通知ボックスが１つしかなかった場合、着信選別に使用できるのは、そのボックスの近くの１つの電話機だけである。一方、電話応答装置のユーザは、部屋のどこにいてもリアルタイムで発信者の身元とその目的との両方を知ることができる。追加のボックスを導入することはできるが、これは費用がかかる上、やはりユーザはその時していることを中断して、ディスプレイを確認しにいかなければならない。発信者番号通知の別の問題は、一部の発信者は発信者番号を非通知にしているため、その発信者の身元を知るためには、電話応答装置やボイスメールのないユーザは、電話に出なければならないという点である。
【０００８】
ボイスメール、コールウェイティング、および発信者番号通知を組み合わせることによって、上記問題のいくつかは解決できる。発信者番号通知によって、コールウェイティング使用時に発信者を識別する機能が開発されたので、上記の組み合わせはより効果的になっている。ユーザは、１人目の発信者と話をしている間に２本目の電話を受けた場合に、その新しい発信者の身元を発信者番号通知を使用して識別でき、回線を新しい発信者へ切り替えないことによってその着信をボイスメールに流すという選択をすることができる。しかし、第２の発信者が発信者番号を非通知にしている場合、発信者の身元を知るには、やはりユーザが電話に出るか、後でメッセージをチェックしなければならない。さらに、コードレスホンの場合でも、ユーザは発信者番号通知を確認するためには、親機のそばに行かなければならない。
【０００９】
携帯電話技術によって、ユーザは移動しながらでも電話を受けたりかけたりすることができるようになった。携帯電話機のユーザも、固定電話のユーザと同様に、着信選別に関する問題に直面している。携帯電話機は通常、リモートボイスメールシステムを使用する。ユーザは、リモートボイスメールシステムに電話をかけると共に、メニューを使用してどのメッセージを聞き、保存し、削除するかを選択することによって、メッセージにアクセスすることができる。これによる利点としては、ユーザが通話中であっても、新しい発信者がユーザへのメッセージを残すことができるので、ユーザが着信を逃すことがないということである。リモート・ボイスメールシステムの利点は、アクセスコードが必要ではあるが、それよりも、固定電話機における発信者番号通知と同様に、リモート・ユーザが電話番号によってユーザを識別することができるという利点を有している。しかし、固定電話機のリモートボイスメールサービスと同様に、ユーザはリアルタイムで着信を選別することができない。
【００１０】
この問題の１つの解決策は、電話応答装置にある。電話応答装置は、携帯電話機については、着信をリモートボイスメールシステムに転送するのではなく、ローカルで（携帯電話機で）着信に応答する構成となる。これによってユーザは、携帯電話機のスピーカを通してその着信電話を聞きながら発信者のメッセージを録音することで、着信を選別することができる。
【００１１】
しかしながら、この方法には問題が多い。ユーザが着信を選別すると、ローカル端末で録音されたボイスメッセージは、端末（携帯電話機）に保存されるものと、リモートボイスメールシステムに保存されるものとに分けられてしまう。これにより、すべてのメッセージをセンターの位置に保存するという利便性は損なわれ、携帯電話機の保存スペースが犠牲になる。さらに、ユーザが着信を選別している間、ローカルで（携帯電話機で）メッセージを録音しなければならないため、携帯電話機は余分の電力を使うことになる。
【００１２】
さらなる問題は、ユーザは、リモート・ボイスメールシステムとローカルシステムとの両方に、待ち受けメッセージ（応答メッセージ）を録音しなければならないことである。これは、発信者がローカルシステムの応答メッセージとリモートボイスメールシステムの応答メッセージとの違いを認識して、何らかの着信選別のための手段が使用されていることを推測できることを意味する。何らかの着信選別のための手段が使用されていることを発信者が推測できることは、ユーザが着信を選別していることを発信者に通知する効果をもたらす。
【００１３】
残念ながら、着信選別における公知のシステム及び方法には、多くの問題を抱えている。したがって、本発明に係る改良された着信選別のシステム及び方法によって、様々な利点がもたらされるであろう。
【課題を解決するための手段】
【００１４】
本明細書は、無線通信システムでの使用のために構成された移動体通信機器であって、プロセッサと、前記プロセッサと電気的に通信するメモリとを含む移動体通信機器を開示する。前記メモリには、命令が格納されている。前記命令は、以下の選別方法を前記プロセッサに実行させるための実行可能な命令である。発信者からの着信電話が受信される。前記着信電話が応答され保留される。ボイスメール電話が自動的にボイスメール制御メニューに入らないようにボイスメールがダイアルされる（ボイスメールに電話がかけられる）。前記移動体通信機器のユーザが前記着信電話を選別できるように、前記着信電話とボイスメール電話とが繋がれて３者通話(three-way conference call)とされる。いくつかの実施形態は、前記着信電話を選別せよと指示するユーザ入力を受信するものとすることができる。
【００１５】
ここで、ボイスメール制御メニューとは、ボイスメール取得メニュー(voicemail retrieval menu)とも呼ばれているものであり、メールボックス内のボイスメールに対して再生、録音、消去、保存、転送等の制御を指示するユーザ入力を受け付けるメニューを指す。具体的には、例えば、音声メッセージによってユーザに対して、現在行うことが可能な操作の一覧をアナウンスし、ユーザがダイアルをプッシュしてトーンを送信することによって、操作入力を送信するためのユーザインターフェースを指すものとする。
【００１６】
前記ボイスメール電話が自動的にボイスメール制御メニューに入らないように前記ボイスメールにダイアルするステップは、匿名でボイスメール番号をダイアルするステップを含んでいてもよい。さらに、前記ボイスメール電話が自動的にボイスメール制御メニューに入らないように前記ボイスメールにダイアルするステップは、前記ボイスメール制御メニューを回避するような特別なボイスメール番号をダイアルするステップを含んでいてもよい。前記特別なボイスメール番号は、前記移動体通信機器におけるボイスメール電話のコーラーラインＩＤを識別し、ボイスメール制御メニューに入らないように設定されていてもよい。
【００１７】
前記ボイスメール電話が自動的にボイスメール制御メニューに入らないように前記ボイスメールにダイアルするステップは、前記ボイスメールに対して、メッセージを移動体通信機器のメールボックス番号に残すよう指示するコードまたはパスワードを送信するステップを含んでいてもよい。
【００１８】
前記移動体通信機器は、着信電話の選別を行う際にスピーカを起動しマイクを消音してもよい。
【００１９】
前記移動体通信機器はさらに、選別中の前記着信電話に対して応答したいというユーザ入力を受信してもよい。前記移動体通信機器はその後に、２者通話のみが有効となるように前記ボイスメール電話を中断してもよい。前記移動体通信機器上でマイクが有効にされてもよい。
【００２０】
前記移動体通信機器はさらに、選別中の前記着信電話を消音したいというユーザ入力を受信してもよい。前記移動体通信機器はその後に、前記移動体通信機器上でスピーカを消音してもよい。
【００２１】
前記移動体通信機器のさらに他の実施形態では、選別中の前記着信電話を消音したいというユーザ入力が受信されてもよい。前記移動体通信機器はその後に、２者通話のみが、有効で、かつ、ボイスメールへの着信電話となるように、前記ユーザの電話を中断してもよい。
【００２２】
他の実施形態では、前記移動体通信機器は、前記ユーザによる前記移動体通信機器を使用しようとするユーザ入力を受信してもよい。着信電話の選別が依然実行中であることを示す警告が前記ユーザに提示されてもよい。
【００２３】
本明細書は、移動体通信機器のための着信選別方法も開示する。発信者からの着信電話が受信される。前記着信電話が応答され保留される。ボイスメール電話が自動的にボイスメール制御メニューに入らないようにボイスメールがダイアルされる。前記移動体通信機器のユーザが前記着信電話を選別できるように、前記着信電話とボイスメール電話とが繋がれて３者通話とされる。
【発明の効果】
【００２４】
本発明によれば、ボイスメール電話を自動的にボイスメール制御メニューに入らせることなく、速やかに前記着信電話とボイスメール電話とを繋いで３者通話を開始できるので、ユーザが３者通話による着信選別を速やかに行うことができる。
【発明を実施するための最良の形態】
【００２５】
ここでは、携帯電話機における着信選別の典型的システム及び方法の幾つかの典型例について説明する。
【００２６】
本発明の各実施形態は、以下の記載、添付の請求項、および添付の図面によってより完全に明らかになるであろう。添付の図面は、本発明の典型的な実施形態を示しているに過ぎず、それゆえ、本発明の範囲を制限するものではない。以下、本発明の典型的な実施形態について添付の図面を用いてさらに具体的かつ詳細に説明する。
【００２７】
以下に、本発明の各種実施形態を、図面を参照しながら説明する。ここで、類似の参照番号を付した構成要素は、同等の構成要素、もしくは機能的に類似した構成要素を示す。ここで説明し図面に示す本発明の各実施形態は、他の多種多様な形態に構成、設計できる。したがって、図面に示されるような本発明の典型的な実施形態に関する以下のさらに詳細な説明は、本発明の範囲を限定するものではなく、本発明の各実施形態の典型を示しているにすぎない。
【００２８】
「典型的」という言葉は、本願明細書においてもっぱら「実施例、事例、または具体例である」ということを意味する。本願明細書に「典型的」として記載されるいかなる実施形態も、その他の実施形態に比べて、好適、または有利な実施形態であるという意味では必ずしも無い。図面には、各実施形態の様々な面が示されているが、特に記載が無い限り、寸法通りには描かれてはいない。
【００２９】
本明細書に開示される各実施形態の多くの特徴は、コンピュータ・ソフトウェア、電子ハードウェア、もしくはその組み合わせとして実現されうる。ハードウェアとソフトウェアとのこの互換性を明確に説明するために、各種構成要素は、それらの機能に関して概略的に説明する。それらの機能がハードウェアとして実現されるか、ソフトウェアとして実現されるかは、個々の用途とシステム全体に課された設計制約とによって決定される。当業者は、個々の用途に応じて、様々な方法で、上記機能を実施すればよいが、そのような実施の決定が、本発明の範囲からの逸脱を生じさせるものであると解釈されるべきではない。
【００３０】
上記機能がコンピュータ・ソフトウェアとして実現される場合、該ソフトウェアは、任意のタイプのコンピュータ命令やコンピュータが実行可能なコード（記憶装置に格納されている、および／または、システムバスまたはネットワークを介して電気信号として送信される）を含む。本明細書に記載された構成要素に関連する機能を実現するソフトウェアは、単一のまたは多数の命令を含む。このようなソフトウェアは、いくつかの異なるコード・セグメントに分けて配布してもよく、異なる複数のプログラムに分けて配布してもよく、いくつかの記憶装置に分けて配布してもよい。
【００３１】
着信選別は、家庭の電話応答装置において一般的な機能である。メッセージ録音中に発信者の声を聞くことができるので、受信者は、電話に出るか、メッセージの録音を継続させるかを選択することができる。携帯電話機がこの状況を実現することは、家庭の電話応答装置ほど容易ではない。通常、携帯電話機では、着信は、メッセージを録音するボイスメールシステムに転送されるしかない。しかし、これでは着信を選別することはできない。これに対する既存の解決方法の１つは、携帯電話機が、着信をオペレータのボイスメールシステムに転送するかわりに、ローカルで着信に応答することである。次いで、携帯電話機は、ローカルボイスメールプロンプト（待ち受けメッセージ）を再生し、発信者のメッセージを録音し、その着信（録音中のメッセージ）を電話機のスピーカで再生する。これにより、着信の選別が可能になる。しかし、この方法には多くの問題がある。例えば、ボイスメッセージは端末に保存されるものとオペレータのボイスメールシステムに保存されるものに分けられてしまう。さらに、発信者が端末のボイスメールプロンプト（待ち受けメッセージ）とオペレータのボイスメールシステムプロンプト（待ち受けメッセージ）との違いに気づき、何らかの着信選別のための手段が使用されていると推測するかもしれない。このことは、着信選別における利点の一つ、つまり、受信者が着信選別されていることに気づかないという利点を台無しにしてしまう。さらに、メッセージを端末に保存することは、他のことに使われるかもしれず、また、そのリソースが限られているかもしれない端末のメモリを占有してしまう、という問題もある。さらに、電話機は、通話機能を実行しながら同時に録音できなければならないので、余計に処理能力が必要となる。
【００３２】
ＰＯＴＳ（Plain Old Telephone System：従来の電話システム）に対して提案された、ボイスメールシステムを用いた着信選別を可能にする解決手段として、３者通話の利用がある。発信者が受信者のボイスメール番号または電話機自体に電話をかけると、あるメカニズムか別のメカニズムによって、受信者の電話機が聞くだけの状態（すなわち消音状態）の３者通話が設定される。発信者のメッセージを録音中に受信者がその発信者と通話したいと思った場合は、受信者は受話器をとれば電話に出ることができる。するとその３者通話は、発信者と受信者との２者通話になる。他の様々なシステムもこの技術思想を採用している。しかし、これら他の様々なシステムは、携帯電話機の現行のボイスメールシステムに固有の課題を解決しようとするものではない。この固有の課題が問題となるのは、（米国のＴ-Ｍｏｂｉｌｅ社が利用しているような）ボイスメールシステムが、コーラーラインＩＤを使用して、発信者を識別するときである。これはすなわち、受信者の端末が３者通話を確立しようとした場合に、ボイスメールシステムは、メッセージを録音できるようにする代わりに、自動的に発信者を、メールボックス制御のためのボイスメール制御メニューの状態にしてしまう、ということである。このことは、通常、ユーザがボイスメールに電話をかけるときユーザにとって利点となる。なぜならこのシステムに対しユーザがユーザ自身を識別する必要はないからである。しかし、自動的に発信者をボイスメール制御メニュー状態にすることは、着信選別の観点からは好ましい動作ではない。この問題は、ここに記載するシステム及び方法によって解決される。
【００３３】
図１は、一実施形態である着信選別システム１００を示すブロック図である。着信選別システム１００において、無線移動体電話機１０２（移動体機器１０２、端末１０２）は、サービスの１つとしてのボイスメールシステム１０６を持つ、プロバイダのシステム１０４上で動作する。移動体機器１０２は、電気通信ネットワーク１０８と組み合わせて使用されるので、１人もしくはそれ以上の発信者１１０が電話通信ネットワーク１０８を介して移動体機器１０２のユーザ（受信者）に電話をかけることができる。
【００３４】
図２は、一実施形態である着信選別システム２００を示す概念ブロック図である。図２に概略的に示されるように、受信者の移動体機器２０２は、３者通話２１２に入るのに使用される。これにより、受信者２０２は、発信者２１０からの着信を効率的に選別することができる。発信者２１０が、図示されるボイスメール接続２１４を介してボイスメールを残している間に、受信者は、図示される選別接続２１６を介してその着信を選別できる。
【００３５】
図３は、効率的かつ可聴式の着信選別の一般的方法３００を示したフロー図である。この方法３００とその各種実施形態は、本詳細説明を通して十分に説明される。図３は、ここで説明される各方法の一実施形態の概略である。まず、発信者は、受信者の移動体機器１０２に電話をかける（Ｓ３０２）。すると、受信者の移動体機器１０２は、ボイスメールシステム１０６に電話をかける（Ｓ３０４）。これによって３者通話が開始され、それによって受信者が着信選別を容易に行えるようになる（Ｓ３０６）。その後、受信者１０２はその着信に応答するか、その着信を無視するか、もしくは着信選別を継続するかできる（Ｓ３０８）。
【００３６】
一実施形態では、移動体機器は、携帯電話機である。一実施形態に係る移動体機器４００を、図４の機能ブロック図に示す。移動体機器４００は、移動体機器４００の動作を制御するプロセッサ４０２を備える。プロセッサ４０２は、ＣＰＵとも呼ばれる。メモリ４０４は、読み出し専用メモリ（ＲＯＭ）及びランダム・アクセス・メモリ（ＲＡＭ）の両方を含んでもよく、プロセッサ４０２に命令およびデータを供給する。メモリ４０４の一部は、不揮発性ランダム・アクセス・メモリ（ＮＶＲＡＭ）も含んでもよい。
【００３７】
移動体機器４００は、送信機４０８および受信機４１０を収容する筐体４０６を備える。これら送信機４０８および受信機４１０は、移動体機器４００と、リモート位置（例えば、セルサイト・コントローラまたは基地局等）との間の、データの送受信（例えば、音声通信）を可能にする。送信機４０８および受信機４１０は、まとめて送受信機４１２としてもよい。筐体４０６にはアンテナ４１４が取り付けられ、このアンテナ４１４は送受信機４１２と電気的に接続される。追加のアンテナ（図示せず）を使用してもよい。送信機４０８、受信機４１０及びアンテナ４１４の動作は、公知であり説明を要しないので、ここでは説明しない。
【００３８】
移動体機器４００はまた、信号検出器４１６を備える。信号検出器４１６は、送受信機４１２によって受信される信号のレベルを検出し、定量化する。信号検出器４１６は、公知のように、総エネルギー、ＰＮ（ｐｓｅｕｄｏｎｏｉｓｅ：擬似雑音）チップあたりのパイロットエネルギー、電力スペクトル密度、及びその他の信号などを検出する。
【００３９】
移動体機器４００のステート・チェンジャ４２６は、現在の状態と、送受信機４１２が受信し信号検出器４１６が検出した追加信号とに基づいて無線通信装置の状態を制御する。移動体機器４００はまた、システム・ディターミネータ（決定機構）４２８を備える。このシステム・ディターミネータ４２８は、無線通信装置を制御すると共に、現在のサービスプロバイダ・システムが不適切と判断された場合に、無線通信装置がどのサービスプロバイダ・システムに移行すべきかを決定するために使用される。
【００４０】
移動体機器４００の各種構成要素は、バスシステム４３０によって互いに接続されている。このバスシステム４３０は、データバスに加えて、電力バス、コントロール信号バス、ステイタス信号バスを備える。しかし、わかりやすくするために、図４においては、これら各種バスはまとめてバスシステム４３０として示されている。移動体機器４００はまた、信号処理に使用するデジタルシグナル・プロセッサ（ＤＳＰ）４０７を備える。当業者には当然のことであるが、図４に示す移動体機器４００は、具体的な構成要素を示しているのではなく、機能ブロック図である。
【００４１】
本明細書に開示される方法は、一実施形態に係る移動体機器４００によって実施しうる。一実施形態においては、本明細書に記載の方法は、メモリ４０４に格納された実行可能な命令によって実現され、プロセッサ４０２によって実行される。
【００４２】
図５は、一実施形態に係る移動体機器５００を示す。移動体機器５００は典型的には、ユーザが該移動体機器５００を操作する際に使用できる多くのボタン５５０（もしくはキー５５０）を備える。また、移動体機器５００は、スピーカ５５２およびマイク５５４を備える。ディスプレイ５５６はユーザへのメッセージ５５８を表示するのに使用される。
【００４３】
使用されうる移動体機器の一例としては、シャープ製ＴＭ１５０端末（図示せず）に類似した、シェル型（折り畳み式）ＧＳＭ携帯電話機がある。この移動体機器は、キャビネットの外側に、着信音や音楽を再生するために使用されるスピーカを備え、内側に、図５の実施形態のように端末を開いたときに使用できるイヤホンおよびマイクを備える。本例の移動体機器は、その外側にボタンを備える。これらのボタンは、ユーザが着信を選別したいかどうかを選択するときに使用できる。ユーザインターフェースの設定は、例えば、ユーザが応答しない着信全ての選別を可能にする「全着信選別」としてもよい。最後に、ユーザはネットワークベースのボイスメールサービスに加入しているものとする。上記の各例は単なる例にすぎず、何ら制限にはならない。
【００４４】
本願明細書のシステムおよび方法において、携帯電話機は、発信者がネットワークベースのボイスメールシステムにメッセージを残す時に、携帯電話機の所有者（着信者）が発信者をモニタ（監視）することを可能にする特別な機構を備えている。これにより、ユーザは、その発信者がメッセージを録音している途中で着信に応答するか、そのままにしておくか、を決定することができる。これらの実施形態は、従来のようにボイスメール制御メニュー（ボイスメール回収メニュー）を提示する代わりに、ボイスメールシステムに対してメッセージ録音モードに入るよう指示することができる２つの方法を含んでいる。
【００４５】
さらに、一実施形態に係る折り畳み式携帯電話機では、着信選別は、端末を開くことによって端末の外側スピーカから個別のイヤホンに切り替えられる。
【００４６】
本明細書のシステムおよび方法にはいくつかの特徴がある。１つは、無線端末の着信制御機能とオペレータのボイスメールシステムとを利用して、メッセージが単一の統合されたメールボックスにまとめて保存されるようにした着信選別機構である。この機構は、端末からの着呼があった場合には、ボイスメール制御メニューを提示する代わりに、ボイスメールサービスに対してメッセージ録音モードに入るよう指示することができる。この機構は、次のいずれかを行うことによって達成される。すなわち、（ａ）通常の番号とは異なるボイスメール番号（即ち、この目的のために確保された特別の番号）に電話をかける、または（ｂ）匿名でボイスメールシステムに電話をかけて、ＤＴＭＦトーンなどによって、メールボックス所有者へのメッセージを録音可能にするようボイスメールシステムに指示する。一実施形態におけるさらに別の特徴としては、折り畳み式携帯電話機を開くことにより、着信選別を端末外部のスピーカから個別のイヤホンに切り替えることができることである。
【００４７】
残りの図面は、本願のシステムおよび方法の様々な段階を示している。図６は、着信通話に対する処理を示す。図７は、メッセージ録音の途中で電話に応答するステップを示す。図８は、メッセージ録音の途中で発信者を無視するステップを示す。図９は通話を終了して電話を切るステップを示す。
【００４８】
図６は、着信通話を処理する方法の実施形態６００を示すフロー図である。発信者は、受信者１０２の番号に電話をかける（Ｓ６０２）。すると、受信者の移動体機器１０２が鳴る（Ｓ６０４）。受信者の移動体機器１０２が鳴る（Ｓ６０４）と、受信者は、その着信を選別するかどうかを決定する（Ｓ６０６）。ここで、受信者は着信コーラーラインＩＤを見ることでこの決定をしてもよい。なお、着信コーラーラインＩＤは、発信者が誰であるかを示すことができるものである。また、ユーザは、着信の時間やその他の状況など、何らかの他の理由に基づいてその着信を選別するかどうかを決定してもよい。
【００４９】
一実施形態において、受信者は、着信があればその着信を自動的に選別するように移動体機器を事前に構成しておいてもよい。そのような実施形態においては、ユーザは、電話がかかってきてからその着信の選別をするか否かを決定する必要がない。
【００５０】
図６のＳ６０８に示すように、受信者は、着信を選別せよと指示する。ここで受信者（ユーザ）が、着信を選別せよと指示していない場合、ユーザは、着信に応答するか、着信を完全に無視するか、あるいは着信を直接ボイスメールに送るかしてもよい。着信選別を行いたい場合には、ユーザは移動体機器１０２のボタンを押す（Ｓ６０８）ことによって着信選別モードに切り替える。一実施形態において、移動体機器１０２は、折り畳み式のシェル型でもよく、このシェル型移動体機器１０２は、閉じている状態でも受信者（ユーザ）が「選別」ボタンを押せるように構成されていてもよい。また、上記選別ボタンは、シェルが開いている状態で使用される構成、異なる形式の移動体機器で使用される構成、音声認識によって使用される構成などであってもよい。
【００５１】
受信者が、電話機が選別モードに入るよう指示すると（Ｓ６０８）、移動体機器１０２自体が、自動的に以下の各動作を実行する。すなわち、移動体機器は、着信に応答し（Ｓ６１０）、発信者を保留状態にし（Ｓ６１２）、自動的にボイスメール制御メニューに入らないように、標準のボイスメールにダイアルする（Ｓ６１４）。一部の実施形態において、移動体機器１０２は、そのプロセスが発信者に気づかれない程度に素早く、着信に応答し（Ｓ６１０）、発信者を保留状態にし（Ｓ６１２）、ボイスメール番号をダイアルする（Ｓ６１４）。
【００５２】
発信者を保留状態にし（Ｓ６１２）、ボイスメールをダイアルする（Ｓ６１４）という各動作は、ネットワークシステムに組み込まれていてもよい。このシステムでは、新しい番号をダイアルすることで、その他の着信は自動的に保留される。また、ＧＳＭシステムでは、保留状態にするというのは１つのネットワーク機能である。
【００５３】
電話が自動的にボイスメール制御メニューに入らないように、移動体機器１０２がスタンダードボイスメールにダイアルする（Ｓ６１２）方法の１つは、匿名で（発信者のＩＤを隠して）その番号をダイアルすることである。ＧＳＭシステムの場合には、ダイアルする番号の前に＃３１＃をつけることにより匿名の電話をかけることができる（すなわち、発信者ＩＤを送らないで電話をかけることができる）。例えば、ボイスメール番号が「１２３」である場合、「＃３１＃１２３」をダイアルすることによって、ボイスメールシステムに匿名で電話をかけることができる。
【００５４】
他の実施形態では、移動体機器１０２は、ボイスメール制御メニューを避けるために、特別なボイスメール番号をダイアルするようにしてもよい（Ｓ６１４）。「特別なボイスメール番号」とは、携帯電話機のコーラーラインＩＤを識別するが、所有者のメインメニューシステムには入らないように構成されている番号である。その代わりに、受信者が発信者をボイスメールに送る場合と全く同じように動作する。例えば、受信者へのメッセージを残すように要求する。この実施形態は、ボイスメールシステム１０６に接続する、より速い方法の１つとして有用である。
【００５５】
必要であれば、移動体機器１０２は、携帯電話機のメールボックス番号（端末固有の番号）に対するメッセージを残すように指示するために、ボイスメールシステム１０６にコードまたはパスワードを送信してもよい（Ｓ６１６）。例えば、ボイスメールシステム１０６に着信があったが、コーラーラインＩＤによる発信者の識別ができない場合、システムによって提供された任意のメールボックスにメッセージを録音するよう指示するモードに入ることがある。例えば、米国のＴ−Ｍｏｂｉｌｅ社のシステムでは、＃に続けて１０桁の電話番号（メールボックス番号）を送信すると、そのメールボックスのボイスメールメッセージが再生され、その番号への発信者のメッセージが録音し始められる。このことは、着信選別のために別のボイスメール番号を持たなければならない、という問題を解決する。
【００５６】
次いで、移動体機器１０２は、３者全てを繋ぐ（Ｓ６１８）。３者通話において繋がれる３者とは、発信者１１０、ユーザ（受信者）の端末１０２、およびボイスメールシステム１０６である。その後、スピーカが起動され（Ｓ６２０）、マイクが消音される。これにより、ユーザは、気づかれることなく、着信通話の全てを聞くことができる。
【００５７】
システムが本質的にデジタルであるために、前述の動作は、素早くなされる。それゆえ、そういった動作が発信者に明白となることがない。いくつかの従来の利用可能なシステムでは、「お繋ぎしますのでお待ちください。」等のメッセージを発信者に対して再生する必要があるが、本明細書のシステムおよび方法はこのステップを必要としない。このステップを省けるというのは利点である。なぜなら、上記のようなメッセージは、発信者のメッセージが選別されているということを発信者に示唆する可能性があるからである。
【００５８】
上記の各ステップの後、発信者１１０は、ボイスメールシステムプロンプトを聞き（Ｓ６２２）、メッセージを録音し始める。同時に、受信者１０２はそのメッセージを録音中に聴くことができる（Ｓ６２４）。これにより、ユーザはその着信を選別できる（Ｓ６２４）。
【００５９】
図７は、メッセージ録音の途中で選別中の着信に応答する方法の実施形態７００を示すフロー図である。受信者１０２は、メッセージ録音中の着信に応答したい場合、下記の動作によって応答することができる。
【００６０】
受信者は、着信に応答したいということを移動体装置１０２（端末）に指示できる。これは様々な方法でなされるが、例えば、受信者が単にボタンを押すだけでもよい。または、受信者は単にシェル型携帯を開けることとしてもよい。通常、この開くという動作を折り畳み式携帯電話機で行うと、外側のスピーカのスイッチがオフになり、代わりに内側のイヤホンが使われる。次に、この電話機はユーザにその着信に応答するか否かの選択肢を示す。これによって、スピーカを使うよりもさらに私的に着信選別を行うことが可能となる。
【００６１】
受信者が着信に応答したいとの指示を受けると（Ｓ７０２）、端末はボイスメールシステム１０６を使った３者通話を中断し（Ｓ７０４）、発信者１１０との２者通話に戻る。受信者１０２が着信選別するのに外部のスピーカを用いている場合、端末は外部のスピーカを無効にし（Ｓ７０６）、イヤホンをオンにし（Ｓ７０８）、マイクを有効にする。通話はこの時点から継続される（Ｓ７１０）。
【００６２】
図８は、受信者１０２がメッセージ録音の途中で発信者を無視する方法の実施形態８００を示すフロー図である。メッセージ録音中の着信に応答したくない場合、または、発信者がメッセージを録音するのを聞き続けたくない場合、ユーザは図８に示す各操作を行う。受信者は通話を消音したいことを端末１０２に通知できる（Ｓ８０２）。一実施形態では、着信の選別を指示するのに使用されるのと同じボタンが、通話の消音を指示するのにも使用できる。また他の方法を使用してもよい。例えばボタンの長押しや、別のボタン等を使用してもよい。
【００６３】
通話を消音するよう入力を受けると（Ｓ８０２）、移動体機器１０２（端末）がスピーカを消音して３者通話を継続するか（Ｓ８０４ａ）、または受信者が通話を終了する（Ｓ８０４ｂ）。ＧＳＭシステムでは、３者通話を始めた端末は通話を継続しなければならない。その端末が通話を終了すると、全通話者の接続が断たれるからである。この状況下では、端末１０２はスピーカを消音して３者通話を継続する（Ｓ８０２ａ）必要がある。別のネットワークシステムでは、端末１０２が３者通話をやめても、発信者とボイスメールシステムとの間で２者通話を継続することができる場合もある。この場合は、受信者１０２は通話から抜けることができる（Ｓ８０４ｂ）。
【００６４】
残りのＳ８０６〜Ｓ８１０は、受信者が通話を消音したいと指示した（Ｓ８０２）後も３者通話が続いている状態において実行される。Ｓ８０６〜Ｓ８１０は典型的には、２者通話中の状態では行われない。
【００６５】
ユーザが引き続き電話をかけるために電話機を使おうとした（例えば、電話機を開いた）ときに、まだ３者通話が続いている場合、端末１０２はそのスクリーンに警告を表示する（Ｓ８０８）か、もしくは音またはメッセージを再生することによって、依然通話が続いていることをユーザに知らせる。更に、移動体機器１０２は、継続中の通話をイヤホンで再生するようにしてもよい（Ｓ８１０）。これにより、ユーザはその通話を聞くことができ、その通話を切断するかどうかを決定することができる。図７において説明したように、端末１０２は、ユーザに、メッセージ録音を中断して着信に応答する方法を提供してもよい。
【００６６】
図９は、通話の完了を示すフロー図９００である。Ｓ９０２においては選別セッションを実行中である。選別モードにおいて通話の終わりには、発信者またはボイスメールシステムが３者通話への接続を断つ（Ｓ９０４）。その後、端末１０２は残りの２者通話が依然継続中であれば、それを終了する（Ｓ９０６）。
【００６７】
情報および信号は、多様な技術および技法の何れを用いて表現してもよい。例えば、上記説明を通し言及される、データ、命令、コマンド、情報、信号、ビット、シンボル、およびチップは、電圧、電流、電波（電磁波）、磁場や磁性粒子、光フィールド、光学粒子(optical fields or particles)、およびそれらの組み合わせによって表現できる。
【００６８】
本明細書に開示された実施形態に関連して記載される多様な論理ブロック、モジュール、回路、アルゴリズム・ステップは、電子ハードウェア、コンピュータソフトウェア、またはこれらの組み合わせとして実現される。ハードウェアとソフトウェアとの互換性を明確に説明するために、各種構成要素、ブロック、モジュール、回路、ステップは、上記のように、それらの機能に関して概略的に記載されている。それらの機能がハードウェアとして実現されるか、ソフトウェアとして実現されるかは、個々の用途とシステム全体に課された設計制約とによって決定される。当業者は上記の機能を、個々の用途に応じて、様々な方法で実施するであろうが、そのような実施の決定は、本発明の範囲からの逸脱を生じさせるものであると解釈されるべきではない。
【００６９】
本明細書に開示される各実施形態に関連して記載される多様な論理ブロック、モジュール、回路は、ここに開示する機能を実施するために設計された、汎用プロセッサ、デジタル・シグナル・プロセッサ（ＤＳＰ）、特定用途向け集積回路（ＡＳＩＣ）、フィールド・プログラマブル・ゲート・アレイ信号（ＦＰＧＡ）またはその他のプログラム可能論理回路、ディスクリート・ゲートまたはトランジスタ論理、ディスクリート・ハードウェア・コンポーネント、もしくはこれらの組み合わせによって実施される。汎用プロセッサは、マイクロプロセッサでもよいが、他に、従来型プロセッサ、コントローラ、マイクロコントローラ、状態機械でもよい。プロセッサはまた、コンピュータ・デバイス（例えば、デジタル・シグナル・プロセッサ（ＤＳＰ）とマイクロプロセッサの組み合わせ、または複数のマイクロプロセッサ、ＤＳＰコアに連結した１個もしくはそれ以上のマイクロプロセッサ、もしくは他の上記のような構造）の組み合わせとして実現されてもよい。
【００７０】
本明細書に開示された各実施形態に関連して記載される方法またはアルゴリズムのステップは、直接的にハードウェアによって実現されるか、プロセッサによって実行されるソフトウェア・モジュールによって実現されるか、もしくはその組み合わせによって実現される。ソフトウェア・モジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、その他あらゆる公知の記憶媒体にあってもよい。典型的な記憶媒体は、該記憶媒体に対して情報を読み書きできるプロセッサに接続されている。または、記憶媒体はプロセッサに組み込まれてもよい。プロセッサおよび記憶媒体はＡＳＩＣ内にあってもよい。該ＡＳＩＣは、ユーザ端末内にあってもよい。また、プロセッサと格納媒体は、別個の構成要素として、ユーザ端末内に存在してもよい。
【００７１】
本明細書に開示される方法は、該方法を達成するための１つもしくはそれ以上のステップまたは動作を含む。この方法のステップおよび／または動作は、本発明の範囲を逸脱しない範囲で、相互に置き換えることができる。言い換えれば、実施形態の適切な実施のためにステップまたは動作が特定順序で行われる必要が無い限り、ステップおよび／または動作の順序および／または使用が、本発明の範囲を逸脱しない範囲で、変更されてもよい。
【００７２】
本発明の具体的な実施形態および用途を図示し説明したが、本発明は、本願明細書に開示される構成および構成要素そのものに限定されるわけではない。当業者にとって明らかな各種の一部変形、変更、変形は、本願明細書に開示された、本発明の方法およびシステムの構成、動作、詳細において、本発明の精神と範囲を逸脱しない範囲で、行ってもよい。
【図面の簡単な説明】
【００７３】
【図１】着信選別システムの一実施形態を示すブロック図である。
【図２】着信選別システムの一実施形態を示す概念ブロック図である。
【図３】一般的な着信選別方法を示すフロー図である。
【図４】移動体通信機器の一実施形態を示す機能ブロック図である。
【図５】移動体通信機器の一実施形態を示す図である。
【図６】着信通話の処理を示すフロー図である。
【図７】メッセージ録音の途中で選別中の通話に応答する方法の一実施形態を示すフロー図である。
【図８】受信者がメッセージの録音の途中で通話を無視する方法の一実施形態を示すフロー図である。
【図９】通話の終了を示すフロー図である。
【符号の説明】
【００７４】
１００  着信選別システム
１０２  移動体機器（移動体通信機器）
１０４  プロバイダ
１０６  ボイスメールシステム
１０８  電気通信ネットワーク（通信回線）
１１０  発信者
２００  着信選別システム
２０２  受信者
２０６  ボイスメール
２１０  発信者
２１２  ３者通話
２１４  ボイスメール接続
２１６  選別接続
４００  移動体機器（移動体通信機器）
４０２  プロセッサ
４０４  メモリ
４０６  筐体
４０７  デジタルシグナル・プロセッサ（ＤＳＰ）
４１２  送受信機
４１４  アンテナ
４１６  信号検出器
４２６  ステート・チェンジャ
４２８  システム・ディターミネータ
４３０  バスシステム
５００  移動体機器（移動体通信機器）
５５０  ボタン（キー）
５５２  スピーカ
５５４  マイク
５５６  ディスプレイ
５５８  表示（メッセージ）
【図１】
2006325220.tif 000003
【図２】
2006325220.tif 000004
【図３】
2006325220.tif 000005
【図４】
2006325220.tif 000006
【図５】
2006325220.tif 000007
【図６】
2006325220.tif 000008
【図７】
2006325220.tif 000009
【図８】
2006325220.tif 000010
【図９】
2006325220.tif 000011